(57)【要約】【課題】広角端における半画角：ωｗが３４度〜５０度と極めて広画角で性能良好な投射用ズームレンズの実現を課題とする。【解決手段】画像表示素子の表示面に表示された画像を被投射面に投射して拡大表示させる画像表示装置に用いられる投射用ズームレンズであって、拡大側から縮小側へ向かって第１レンズ群Ｇ１ないし第４レンズ群Ｇ４を配してなる４レンズ群構成で、第１レンズ群Ｇ１は負の屈折力、第２レンズ群Ｇ２は負の屈折力、第３レンズ群Ｇ３は正の屈折力を有し、第４レンズ群は正または負の屈折力を有し、第１レンズ群の焦点距離：ｆ１、第２レンズ群の焦点距離：ｆ２が、条件：（１）０．３＜ｆ１／ｆ２＜１．０を満足することを特徴とする。【選択図】図１
2014219534.tif 000002
【特許請求の範囲】
【請求項１】
画像表示素子に表示された画像を、投射光学系により被投射面に投射して拡大表示する画像表示装置の投射光学系を構成する投射用ズームレンズであって、
拡大側から縮小側へ向かって順次配される第１ないし第４レンズ群を有する４レンズ群構成であり、
第１レンズ群は負の屈折力を有し、
第２レンズ群は負の屈折力を有し、
第３レンズ群は正の屈折力を有し、
第４レンズ群は正または負の屈折力を有し、
第１レンズ群の焦点距離：ｆ１、第２レンズ群の焦点距離：ｆ２が、条件：  
（１）  ０．３  ＜  ｆ１／ｆ２  ＜  １．０    
を満足することを特徴とする投射用ズームレンズ。
【請求項２】
請求項１に記載の投射用ズームレンズにおいて、
広角端における第１レンズ群から第３レンズ群までの合成焦点距離：ｆ１−３ｗが、条件：
（２）  ０  ＜  １／｜ｆ１＿３ｗ｜  ＜  ０.１４  
を満足することを特徴とする投射用ズームレンズ。
【請求項３】
請求項１または２に記載の投射用ズームレンズにおいて、  
広角端における第１レンズ群から第３レンズ群までの合成焦点距離：ｆ１＿３ｗ、広角端における全系の焦点距離：ｆｗが、条件：
（３）  ０．６  ＜  ｜ｆ１＿３ｗ／ｆｗ｜  ＜  ０．９  
を満足することを特徴とする投射用ズームレンズ。
【請求項４】
請求項１ないし３の任意の１に記載の投射用ズームレンズにおいて、
広角端における半画角：ωｗが、条件：
（４）  ３４度  ＜  ωｗ  ＜  ５０度
を満足することを特徴とする投射用ズームレンズ。
【請求項５】
光源と、
投射されるべき画像を表示する画像表示素子と、
前記光源から射出した光で、前記画像表示素子を照明する照明光学系と、  
該照明光学系により照射され、前記画像表示素子に表示された画像により変調された投射光束を入射され、被投射面に前記画像の拡大画像を投射する投射光学系と、を備え、
前記投射光学系として請求項１ないし５の任意の１に記載の投射用ズームレンズを用いることを特徴とする画像表示装置。
【発明の詳細な説明】
【技術分野】
【０００１】
この発明は、投射用ズームレンズおよび画像表示装置に関する。画像表示装置はプロジェクタ装置として実施できる。
【背景技術】
【０００２】
装置前方のスクリーン上に拡大画像を投射するフロント投射型のプロジェクタ装置は、企業でのプレゼンテーション用や学校での教育用、家庭用に近年広く普及している。
【０００３】
拡大投射される画像を「画像表示面」上に表示する画像表示素子は「ライトバルブ」とも呼ばれるが、液晶パネルを初めとして、種々のタイプのものが知られている。
【０００４】
近年、テキサスインスツルメント社製のデジタルマイクロミラーデバイス（ＤＭＤ）に代表される「微小ミラーデバイス」が、ライトバルブとして注目されている。
【０００５】
投射用ズームレンズは勿論、種々のライトバルブに適用可能であることが好ましい。
【０００６】
上記微小ミラーデバイスでは、画像表示面にアレイ配列されたマイクロミラーを選択的に傾斜させて画像の表示を行う。
【０００７】
微小ミラーデバイスは、ライトバルブとして用いる場合、種々の制約条件があるが、プロジェクタ装置の小型化や高輝度化に有利であり、近来、広く普及しつつある。
【０００８】
また、投射用ズームレンズには「高倍率であり、かつ広角であること」が要請されるようになってきている。
【０００９】
４レンズ群で構成した投射用ズームレンズは、従来から種々知られている。  
特許文献１は、拡大側（スクリーン側）から縮小側（ライトバルブ側）へ、負・負・正・正の４レンズ群を配した４レンズ群構成の投射用ズームレンズを開示している。
【００１０】
特許文献１に記載された投射用ズームレンズは、収差が十分に抑えられているが、広角端での半画角は２９度に留まり、近時の要請に十分応えているとは言いがたい。
【００１１】
一般に、「画像の投射に用いられるレンズ」は、結像光線として「斜光線」が用いられる点で、カメラ用の撮影レンズ系と異なる。  
カメラ用の撮影レンズでは、レンズ系の光軸に対する回転対称な領域が撮影領域となり、広画角の撮影レンズでは「レンズ光軸を中心とする大きな撮影領域」が可能である。
【００１２】
画像の投射に用いられるレンズでは、投射画像が斜光線により結像されるため、画像投射領域として利用できるのは前記「レンズ光軸を中心とする大きな領域」の一部である。
【００１３】
このため、画像を投射される被投射面の大面積化には、投射用ズームレンズの広角化が欠かせない。
【００１４】
また、近時は、プロジェクタ装置の投射距離を小さくし、プロジェクタ装置を被投射面に「より近づけて配置」することが強く要請されている。
【００１５】
このような被投射面への近接配置で、且つ、大面積の被投射面を実現するためにも、投射用ズームレンズには、さらなる広角化が望まれる。
【発明の概要】
【発明が解決しようとする課題】
【００１６】
この発明は上述した事情に鑑み、広画角で高性能な、新規な投射用ズームレンズの実現を課題とする。
【課題を解決するための手段】
【００１７】
この発明の投射用ズームレンズは、画像表示素子に表示された画像を、投射光学系により被投射面に投射して拡大表示する画像表示装置の投射光学系を構成する投射用ズームレンズであって、拡大側から縮小側へ向かって順次配される第１ないし第４レンズ群を有する４レンズ群構成であり、第１レンズ群は負の屈折力を有し、第２レンズ群は負の屈折力を有し、第３レンズ群は正の屈折力を有し、第４レンズ群は正または負の屈折力を有し、第１レンズ群の焦点距離：ｆ１、第２レンズ群の焦点距離：ｆ２が、条件：  
（１）  ０．３  ＜  ｆ１／ｆ２  ＜  １．０    
を満足することを特徴とする。
【発明の効果】
【００１８】
この発明によれば、広画角で高性能な、新規な投射用ズームレンズを実現できる。
【図面の簡単な説明】
【００１９】
【図１】実施例１の投射用ズームレンズの構成を示す断面図である。
【図２】実施例１の投射用ズームレンズの収差曲線図である。
【図３】実施例２の投射用ズームレンズの構成を示す断面図である。
【図４】実施例２の投射用ズームレンズの収差曲線図である。
【図５】実施例３の投射用ズームレンズの構成を示す断面図である。
【図６】実施例３の投射用ズームレンズの収差曲線図である。
【図７】実施例４の投射用ズームレンズの構成を示す断面図である。
【図８】実施例４の投射用ズームレンズの収差曲線図である。
【図９】実施例５の投射用ズームレンズの構成を示す断面図である。
【図１０】実施例５の投射用ズームレンズの収差曲線図である。
【図１１】実施例６の投射用ズームレンズの構成を示す断面図である。
【図１２】実施例６の投射用ズームレンズの収差曲線図である。
【図１３】実施例７の投射用ズームレンズの構成を示す断面図である。
【図１４】実施例７の投射用ズームレンズの収差曲線図である。
【図１５】実施例８の投射用ズームレンズの構成を示す断面図である。
【図１６】実施例８の投射用ズームレンズの収差曲線図である。
【図１７】実施例９の投射用ズームレンズの構成を示す断面図である。
【図１８】実施例９の投射用ズームレンズの収差曲線図である。
【図１９】画像表示装置としてのプロジェクタ装置の概略構成図である。
【発明を実施するための形態】
【００２０】
以下、発明を実施する形態を説明する。
【００２１】
この発明のズームレンズは、上記の如く「投射用ズームレンズ」である。  
前述の如く、「投射用のレンズ」は結像光線が「斜光線」であり、この発明の投射用ズームレンズでも、投射画像を結像する投射用光束としては「斜光線の光束」が用いられる。
【００２２】
図１、図３、図５、図７、図９、図１１、図１３、図１５、図１７に、投射用ズームレンズの実施の形態を９例示す。
【００２３】
これらの実施の形態の投射用ズームレンズは、この順に、後述する具体的な実施例１ないし９に相当する。  
上記各図において、図の左方が「拡大側」、右方が「縮小側」である。「拡大側」は、スクリーン等の被投射面に向かう側であり、「縮小側」は画像表示素子に向かう側である。
【００２４】
即ち、各実施の形態の投射用ズームレンズは、画像表示素子に表示された画像を、投射光学系により被投射面に投射して拡大表示する投射光学系を構成する。
【００２５】
繁雑を避けるために、上記各図において符号を共通化する。  
上記各図において、符号Ｇ１は第１レンズ群、符号Ｇ２は第２レンズ群、符号Ｇ３は第３レンズ群、符号Ｇ４は第４レンズ群をそれぞれ示す。
【００２６】
即ち、上記各図に実施の形態を示す投射用ズームレンズは、拡大側から縮小側へ向かって第１レンズ群Ｇ１ないし第４レンズ群Ｇ４を順次配してなる４レンズ群構成である。
【００２７】
また、第３レンズ群Ｇ３以下に「開口絞り」が配置されている。
【００２８】
さらに、上記各図において、符号ＣＧは「画像表示素子（ライトバルブ）のカバーガラス」を示す。  
これら実施の形態・実施例において、ライトバルブとしては「微小ミラーデバイスであるＤＭＤ」を想定しているが、勿論、ライトバルブがこれに限定される訳ではない。
【００２９】
上記各図の、上段の図は「広角端におけるレンズ群配置（広角と表示）」を示し、下段の図は「望遠端におけるレンズ群配置（望遠と表示）」を示す。
【００３０】
また、これ等の図における「上段の図と下段の図の間に描かれた矢印」は、広角端から望遠端への変倍の際の、第２レンズ群Ｇ２ないし第４レンズ群Ｇ４の変移の方向を示す。
【００３１】
各レンズ群を構成するレンズについては、第ｉレンズ群（ｉ＝１〜４）において、拡大側から数えて第ｊ番目のレンズを「Ｌｉｊ」で表す。
【００３２】
上記各図に実施の形態を示す投射用ズームレンズにおいて、第１レンズ群Ｇ１と第２レンズ群Ｇ２とはともに負の屈折力を有し、第３レンズ群は正の屈折力を有する。  
即ち、第１ないし第４レンズ群において、第１レンズ群Ｇ１ないし第３レンズ群Ｇ３の屈折力配分は「負・負・正」である。
【００３３】
これらの実施形態の投射用ズームレンズは、条件（１）を満足する。
【００３４】
（１）  ０．３  ＜  ｆ１／ｆ２  ＜  １．０    
条件（１）は、第１レンズ群の焦点距離：ｆ１、第２レンズ群の焦点距離：ｆ２の焦点距離の比の範囲を規定する条件である。
【００３５】
条件（１）は、「広角端における広い画角」と「良好な収差補正」に有効な条件であり、特に非点収差、像面湾曲の良好な補正に有効な条件である。
【００３６】
条件（１）の上限を超えると、第１レンズ群Ｇ１の屈折力（１／ｆ１）が絶対値で相対的に小さくなり、像面湾曲が大きくなりやすい。  
条件（１）の下限を超えると、第１レンズ群Ｇ１の屈折力が絶対値で相対的に大きくなり、非点隔差が大きくなり易い。
【００３７】
条件（１）を満足することにより、非点収差補正の最適解が得られ、像面湾曲増大も有効に抑制可能となる。  
条件（１）を満足させるには、負レンズ群先行型が好ましく、第１〜第３レンズ群Ｇ１〜Ｇ３の屈折力分布を「負・負・正」として、負レンズ群を先行させている。
【００３８】
負レンズ群先行とすることで、主光線高さをより低くすることができ、レンズ有効径を小さく出来る。従って、広画角の投射用ズームレンズをコンパクトに実現可能である。
【００３９】
また、第１、第２レンズ群が共に「負の屈折力」をもつため、画像を投射する際の、第２レンズ群から第１レンズ群への「光束の跳上げ角」を小さく抑えることができる。
【００４０】
すなわち、画像が投射される際には、ライトバルブ側からの投射光束（斜光線による光束）が、第４レンズ群の側から、第１レンズ群側へ導光される。
【００４１】
このとき、第１レンズ群Ｇ１、第２レンズ群Ｇ２が共に負であるので、第３レンズ群Ｇ３からの光束の発散角を、第２、第１レンズ群Ｇ２、Ｇ１で無理なく拡大できる。
【００４２】
従って上記の如く、第２レンズ群から第１レンズ群へ受け渡される光束の跳上げ角を小さく抑えることができ、第１レンズ群からの放射光束の発散角を無理なく大きく出来る。
【００４３】
また、製造時のレンズの偏心による性能劣化を抑制させる効果がある。
【００４４】
この発明の投射用ズームレンズは、上述の構成に加えて以下の条件（２）ないし（４）の１つ以上を満足させることにより、さらに良好な性能を実現できる。
【００４５】
（２）  ０  ＜  １／｜ｆ１＿３ｗ｜  ＜  ０.１４  
（３）  ０．６  ＜  ｜ｆ１＿３ｗ／ｆｗ｜  ＜  ０．９
（４）  ３４度  ＜  ωｗ  ＜  ５０度  
これらの条件（２）〜（４）において、各パラメータの意味は以下のとおりである。
【００４６】
「ｆ１＿３ｗ」は、広角端における「第１レンズ群と第２レンズ群と第３レンズ群との合成焦点距離」を表わす。また「ｆｗ」は、広角端の「全系の焦点距離」を表わす。
【００４７】
「ωｗ」はレンズ全系の広角端における半画角である。
【００４８】
条件（２）は、負の第１レンズ群Ｇ１、負の第２レンズ群Ｇ２、正の第３レンズ群Ｇ３の合成焦点距離の最適範囲である。
【００４９】
条件（２）の範囲を超えると、変倍時における「第２レンズ群Ｇ２による収差補正」が十分に適正化されず、諸収差が残像し易く、特にコマ収差が大きく残存し易い。  
条件（２）を満足することにより、変倍時における第２レンズ群Ｇ２による収差補正を最適化でき、コマ収差を初めとする諸収差の残存を有効に回避できる。
【００５０】
条件（３）は、全変倍域での「コマ収差の補正」をより良好にする条件である。  
条件（３）の上限または下限を超えると、コマ収差が大きく発生し易く、倍率色収差も大きく成り易い。
【００５１】
条件（３）を満足することにより、コマ収差・倍率色収差の発生を有効に抑制できる。
【００５２】
条件（４）は「広角端における半画角の範囲」を規定している。  
即ち、この発明の投射用ズームレンズは、広角端における半画角が「３４度よりも大きく５０度未満」であり、極めて広画角である。
【００５３】
ズームレンズの具体的な実施例を挙げる前に、図１９を参照して、画像表示装置としてのプロジェクタ装置の実施の１形態を簡単に説明する。
【００５４】
画像表示装置は、光源と、画像表示素子と、照明光学系と、投射光学系とを備える。  
「光源」は、被投射面に投射される拡大画像を結像する光を放射する。
【００５５】
「画像表示素子」は、投射されるべき画像を表示する。  
「照明光学系」は、光源から射出した光で、画像表示素子を照明する。
【００５６】
「投射光学系」は、照明光学系により照射され、画像表示素子に表示された画像により変調された投射光束を入射され、被投射面に前記画像の拡大画像を投射する。
【００５７】
図１９に示すプロジェクタ装置１は、ライトバルブ３として、微小ミラーデバイスであるＤＭＤを採用した例である。
【００５８】
プロジェクタ装置１は、照明系２と、ライトバルブであるＤＭＤ３と、投射光学系としての投射用ズームレンズ４とを有する。
【００５９】
投射用ズームレンズ４としては、請求項１ないし４の任意の１に記載されたもの、具体的には実施例１ないし９の何れかのものを用いる。
【００６０】
照明系２は、光源２１、コンデンサレンズＣＬ、ＲＧＢカラーホイールＣＷ、ミラーＭを備えており、これを配置するスペースを「ある程度大きく確保」する必要がある。
【００６１】
このため、照明系２からＤＭＤ３に入射させる照明光の入射角をある程度大きくする必要がある。  
投射用ズームレンズ４と照明系２のスペースの上記の如き関係上、投射用ズームレンズ４のバックフォーカスを「ある程度の大きさ」に確保する必要がある。
【００６２】
光源２１からの光を、コンデンサレンズを介して、ＲＧＢカラーホイールＣＷに入射させる。
【００６３】
ＲＧＢカラーホイールＣＷは、回転することによって、透過光をＲ（赤）、Ｇ（緑）、青（Ｂ）に順次に色分解する。即ち、ＲＧＢ３色の光が時間的に順次に分離される。
【００６４】
照明系２から「ＲＧＢ３色の光」を時間的に分離してＤＭＤ３に照射し、各色光が照射されるタイミングで個々の画素に対応するマイクロミラーの傾斜を制御する。
【００６５】
このようにしてＤＭＤ３に「投射されるべき画像」が表示され、該画像により強度変調された光が、投射用ズームレンズ４で拡大され、スクリーン５に拡大投射される。
【００６６】
なお、コンデンサレンズＣＬ、ＲＧＢカラーホイールＣＷと、ミラーＭとは「照明光学系」を構成する。
【００６７】
実施例１〜９の投射用ズームレンズでは、広角端から望遠端への変倍に際して、第３ないし第４レンズ群Ｇ３ないしＧ４が拡大側に移動する。  
従って、変倍中においてもバックフォーカスは十分に大きく確保される。
【実施例】
【００６８】
以下に、この発明の投射用ズームレンズの具体的な実施例を９例挙げる。
【００６９】
各実施例における記号の意味は以下の通りである。
【００７０】
Ｆ：光学系全体の焦点距離  
Ｆｎｏ：開口数  
Ｒ：曲率半径（非球面にあっては「近軸曲率半径」）  
Ｄ：面間隔  
Ｎｄ：屈折率  
Ｖｄ：アッベ数  
ＢＦ：バックフォーカス                                  。
【００７１】
非球面は、周知の次式により表される。
【００７２】
Ｘ＝(Ｈ２／Ｒ)／[１＋{１−Ｋ(Ｈ／ｒ)２}１／２］  
＋Ｃ４・Ｈ４＋Ｃ６・Ｈ６＋Ｃ８・Ｈ８＋Ｃ１０・Ｈ１０＋・・・          。
【００７３】
この式において、Ｘは「面頂点を基準としたときの光軸からの高さ：Ｈの位置での光軸方向の変位」、Ｋは「円錐係数」、Ｃ４、Ｃ６、Ｃ８、Ｃ１０・・は非球面係数である。
【００７４】
「実施例１」
実施例１の投射用ズームレンズは、図１に示したものである。
【００７５】
図１に示すように、第１レンズ群Ｇ１はレンズＬ１１ないしＬ１３で構成され、第２レンズ群Ｇ２はレンズＬ２１ないしＬ２４で構成されている。
【００７６】
第３レンズ群Ｇ３は２枚のレンズＬ３１ないしＬ３２で構成されている。
【００７７】
第４レンズ群Ｇ４は４枚のレンズＬ４１ないしＬ４４で構成されている。
【００７８】
前述の如く、ライトバルブとしてはＤＭＤが想定され、ＤＭＤはカバーガラスＣＧを有する。
【００７９】
広角端から望遠端に変倍する際、第２レンズ群Ｇ２は縮小側に移動し、第３レンズ群Ｇ３と第４レンズ群Ｇ４は拡大側に移動する。
【００８０】
第１レンズ群Ｇ１は負群で、拡大側に凸の正メニスカスレンズＬ１１、拡大側に凸面を向けた負メニスカスレンズＬ１２、メニスカスレンズＬ１３で構成されている。
【００８１】
メニスカスレンズＬ１３は、縮小側に凹でレンズ周辺部分が縮小側に変曲された「偏肉比が小さいメニスカスレンズ」である。
【００８２】
第２レンズ群Ｇ２は負群で、両凸レンズＬ２１、両凹レンズＬ２２、両凹レンズＬ２３、両凸レンズＬ２４で構成されている。
【００８３】
両凸レンズＬ２１と両凹レンズＬ２２は接合されている。
【００８４】
第３レンズ群Ｇ３は正群で、２枚の正レンズＬ３１とＬ３２で構成されている。  
第４レンズ群Ｇ４は負群で、拡大側に凸の負メニスカスレンズＬ４１、両凸レンズＬ４２、拡大側に凹の負メニスカスレンズＬ４３、両凸レンズＬ４４で構成されている。
【００８５】
負メニスカスレンズＬ４１と両凸レンズＬ４２とは接合されている。
【００８６】
なお、実施例１〜９に関する説明において、「両凸レンズ」は正レンズの１形態であり、「両凹レンズ」は負レンズの１形態である。
【００８７】
実施例１の、全系の焦点距離：Ｆの範囲、Ｆナンバ、広角端における半画角：ωｗは、以下のとおりである。
【００８８】
Ｆ＝１６．３〜２４．４ｍｍ、Ｆｎｏ＝２．５５〜３．３３、ωｗ＝３５．７°
実施例のデータを表１に示す。
【００８９】
【表１】
2014219534.tif 000003
【００９０】
表１において、「Ｓ」は拡大側から数えた面の番号（面番号）であり、開口絞りの面（表中の面番号：１８）、カバーガラスＣＧの面（表中の面番号：２６、２７）を含む。
【００９１】
また、表中における「INF」は、曲率半径が無限大であることを示す。さらに、「＊」は、この記号が付された面が「非球面」であることを示す。
【００９２】
これらの事項は、実施例２以下の各実施例においても同様である。
【００９３】
「非球面のデータ」
非球面のデータを表２に示す。
【００９４】
【表２】
2014219534.tif 000004
【００９５】
表２の表記において、例えば「-8.8299E-30」は「-8.8299×10-30」を意味する。以下においても同様である。
【００９６】
表１の、「Ｄの列」におけるＳ６、Ｓ１３、Ｓ１８は、変倍に際して変化するレンズ群間隔を表す。
【００９７】
投射距離を２０００ｍｍとしたときの、上記レンズ群間隔を、広角端・中間・望遠端について、表３に示す。
【００９８】
【表３】
2014219534.tif 000005
【００９９】
「各条件のパラメータの値」
条件（１）〜（４）のパラメータの値を、表４に示す。
【０１００】
【表４】
2014219534.tif 000006
【０１０１】
図２に、実施例１の投射用ズームレンズの収差図を示す。  
図２の上段は「広角端（広角と表示）」、中段は「中間焦点距離（中間と表示）」、下段は「望遠端（望遠と表示）」の収差を示している。
【０１０２】
各段の収差図において、左側の図は「球面収差」、中央の図は「非点収差」、右側の図は「歪曲収差」である。
【０１０３】
「球面収差」の図におけるＲ、Ｇ、Ｂはそれぞれ、波長：Ｒ＝６２５ｎｍ、Ｇ＝５５０ｎｍ、Ｂ＝４６０ｎｍを表す。  
「非点収差」の図における「Ｔ」はタンジェンシアル、「Ｓ」はサジタルの各光線に対するものであることを示す。
【０１０４】
なお、非点収差および歪曲収差については、波長：５５０ｎｍについて示す。
【０１０５】
収差図におけるこれ等の表示は、以下の実施例２ないし実施例９の収差図においても同様である。
【０１０６】
「実施例２」
実施例２の投射用ズームレンズは、図３に示したものである。
【０１０７】
図３に示すように、第１レンズ群Ｇ１はレンズＬ１１ないしＬ１３で構成され、第２レンズ群Ｇ２はレンズＬ２１ないしＬ２４で構成されている。
【０１０８】
第３レンズ群Ｇ３は２枚のレンズＬ３１とＬ３２で構成されている。
【０１０９】
第４レンズ群Ｇ４は４枚のレンズＬ４１ないしＬ４４で構成されている。
【０１１０】
前述の如く、ライトバルブとしてはＤＭＤが想定され、ＤＭＤはカバーガラスＣＧを有する。
【０１１１】
広角端から望遠端に変倍する際、第２レンズ群Ｇ２は縮小側に移動し、第３レンズ群Ｇ３と第４レンズ群Ｇ４は拡大側に移動する。
【０１１２】
第１レンズ群Ｇ１は負群で、拡大側に凸の負メニスカスレンズＬ１１、拡大側に凸面を向けた負メニスカスレンズＬ１２、メニスカスレンズＬ１３で構成されている。
【０１１３】
メニスカスレンズＬ１３は、縮小側に凹でレンズ周辺部分が縮小側に変曲されている偏肉比が小さいメニスカスレンズである。
【０１１４】
第２レンズ群Ｇ２は負群で、両凸レンズＬ２１、拡大側に凸の負メニスカスレンズＬ２２、両凹レンズＬ２３、両凸レンズＬ２４で構成されている。
【０１１５】
両凹レンズＬ２３と両凸レンズＬ２４は接合されている。
【０１１６】
第３レンズ群Ｇ３は正群で、２枚の正レンズＬ３１とＬ３２で構成されている。  
第４レンズ群Ｇ４は負群で、拡大側に凸の負メニスカスレンズＬ４１、両凸レンズＬ４２、拡大側に凹の負メニスカスレンズＬ４３、両凸レンズＬ４４で構成されている。
【０１１７】
負メニスカスレンズＬ４１と両凸レンズＬ４２とは接合されている。
【０１１８】
実施例２の、全系の焦点距離：Ｆの範囲、Ｆナンバ、広角端における半画角：ωｗは、以下のとおりである。
【０１１９】
Ｆ＝１３．１〜１９．６ｍｍ、Ｆｎｏ＝２．５５〜３．３４、ωｗ＝４１．９°
実施例のデータを表５に示す。
【０１２０】
【表５】
2014219534.tif 000007
【０１２１】
「非球面のデータ」
非球面のデータを表６に示す。
【０１２２】
【表６】
2014219534.tif 000008
【０１２３】
投射距離を１６００ｍｍとしたときの、上記レンズ群間隔を、広角端・中間・望遠端について、表７に示す。
【０１２４】
【表７】
2014219534.tif 000009
【０１２５】
各条件のパラメータの値」
条件（１）〜（４）のパラメータの値を、表８に示す。
【０１２６】
【表８】
2014219534.tif 000010
【０１２７】
図４に、実施例２の収差図を図２に倣って示す。
【０１２８】
「実施例３」
実施例３の投射用ズームレンズは、図５に示したものである。
【０１２９】
図５に示すように、第１レンズ群Ｇ１はレンズＬ１１ないしＬ１３で構成され、第２レンズ群Ｇ２はレンズＬ２１ないしＬ２４で構成されている。
【０１３０】
第３レンズ群Ｇ３は２枚のレンズＬ３１ないしＬ３２で構成されている。
【０１３１】
第４レンズ群Ｇ４は４枚のレンズＬ４１ないしＬ４４で構成されている。
【０１３２】
前述の如く、ライトバルブとしてはＤＭＤが想定され、ＤＭＤはカバーガラスＣＧを有する。
【０１３３】
広角端から望遠端に変倍する際、第２レンズ群Ｇ２は縮小側に移動し、第３レンズ群Ｇ３〜第４レンズ群Ｇ３〜Ｇ４は拡大側に移動する。
【０１３４】
第１レンズ群Ｇ１は負群で、拡大側に凸の負メニスカスレンズＬ１１、拡大側に凸面を向けた負メニスカスレンズＬ１２、メニスカスレンズＬ１３で構成されている。
【０１３５】
メニスカスレンズＬ１３は、縮小側に凹でレンズ周辺部分が縮小側に変曲されている偏肉比が小さいメニスカスレンズである。
【０１３６】
第２レンズ群Ｇ２は負群で、両凸レンズＬ２１、拡大側に凸の負メニスカスレンズＬ２２、両凹レンズＬ２３、両凸レンズＬ２４で構成されている。
【０１３７】
両凹レンズＬ２３と両凸レンズＬ２４は接合されている。
【０１３８】
第３レンズ群Ｇ３は正群で、２枚の正レンズＬ３１とＬ３２で構成されている。  
第４レンズ群Ｇ４は負群で、拡大側に凸の負メニスカスレンズＬ４１、両凸レンズＬ４２、拡大側に凹の負メニスカスレンズＬ４３、両凸レンズＬ４４で構成されている。
【０１３９】
負メニスカスレンズＬ４１と両凸レンズＬ４２とは接合されている。
【０１４０】
実施例３の、全系の焦点距離：Ｆの範囲、Ｆナンバ、広角端における半画角：ωｗは、以下のとおりである。
【０１４１】
Ｆ＝１１．５〜１７．２ｍｍ、Ｆｎｏ＝２．５６〜３．３４、ωｗ＝４５．５°
実施例のデータを表９に示す。
【０１４２】
【表９】
2014219534.tif 000011
【０１４３】
「非球面のデータ」
非球面のデータを表１０に示す。
【０１４４】
【表１０】
2014219534.tif 000012
【０１４５】
投射距離を１４００ｍｍとしたときの、上記レンズ群間隔を、広角端・中間・望遠端について、表１１に示す。
【０１４６】
【表１１】
2014219534.tif 000013
【０１４７】
「各条件のパラメータの値」
条件（１）〜（４）のパラメータの値を、表１２に示す。
【０１４８】
【表１２】
2014219534.tif 000014
【０１４９】
図６に、実施例３の収差図を図２に倣って示す。
【０１５０】
「実施例４」
実施例４の投射用ズームレンズは、図７に示したものである。
【０１５１】
図７に示すように、第１レンズ群Ｇ１はレンズＬ１１〜Ｌ１３で構成され、第２レンズ群Ｇ２はレンズＬ２１〜Ｌ２４で構成されている。
【０１５２】
第３レンズ群Ｇ３は２枚のレンズＬ３１〜Ｌ３２で構成されている。
【０１５３】
第４レンズ群Ｇ４は４枚のレンズＬ４１〜Ｌ４４で構成されている。
【０１５４】
前述の如く、ライトバルブとしてはＤＭＤが想定され、ＤＭＤはカバーガラスＣＧを有する。
【０１５５】
広角端から望遠端に変倍する際、第２レンズ群Ｇ２は縮小側に移動し、第３〜第４レンズ群Ｇ３〜Ｇ４は拡大側に移動する。
【０１５６】
第１レンズ群Ｇ１は負群で、拡大側に凸の負メニスカスレンズＬ１１、拡大側に凸面を向けた負メニスカスレンズＬ１２、縮小側に凹でレンズ周辺部分が縮小側変曲されている偏肉比が小さいメニスカスレンズＬ１３で構成されている。
【０１５７】
第２レンズ群Ｇ２は負群で、両凸レンズＬ２１、拡大側に凸の負メニスカスレンズＬ２２、両凹レンズＬ２３、両凸レンズＬ２４で構成されている。
【０１５８】
両凹レンズＬ２３と両凸レンズＬ２４は接合されている。
【０１５９】
第３レンズ群Ｇ３は正群で、２枚の正レンズＬ３１とＬ３２で構成されている。  
第４レンズ群Ｇ４は負群で、拡大側に凸の負メニスカスレンズＬ４１、両凸レンズＬ４２、拡大側に凹の負メニスカスレンズＬ４３、両凸レンズＬ４４で構成されている。
【０１６０】
負メニスカスレンズＬ４１と両凸レンズＬ４２とは接合されている。
【０１６１】
実施例４の、全系の焦点距離：Ｆの範囲、Ｆナンバ、広角端における半画角：ωｗは、以下のとおりである。
【０１６２】
Ｆ＝１０．３〜１５．４ｍｍ、Ｆｎｏ＝２．５６〜３．３４、ωｗ＝４８．６°
実施例のデータを表１３に示す。
【０１６３】
【表１３】
2014219534.tif 000015
【０１６４】
「非球面のデータ」
非球面のデータを表１４に示す。
【０１６５】
【表１４】
2014219534.tif 000016
【０１６６】
投射距離を１２５０ｍｍとしたときの、上記レンズ群間隔を、広角端・中間・望遠端について、表１５に示す。
【０１６７】
【表１５】
2014219534.tif 000017
【０１６８】
「各条件のパラメータの値」
条件（１）〜（４）のパラメータの値を、表１６に示す。
【０１６９】
【表１６】
2014219534.tif 000018
【０１７０】
図８に、実施例４の収差図を図２に倣って示す。
【０１７１】
「実施例５」
実施例５の投射用ズームレンズは、図９に示したものである。
【０１７２】
図９に示すように、第１レンズ群Ｇ１はレンズＬ１１ないしＬ１２で構成され、第２レンズ群Ｇ２はレンズＬ２１ないしＬ２４で構成されている。
【０１７３】
第３レンズ群Ｇ３は２枚のレンズＬ３１ないしＬ３２で構成されている。
【０１７４】
第４レンズ群Ｇ４は４枚のレンズＬ４１ないしＬ４４で構成されている。
【０１７５】
ライトバルブとしてはＤＭＤが想定され、ＤＭＤはカバーガラスＣＧを有する。
【０１７６】
広角端から望遠端に変倍する際、第２レンズ群Ｇ２は縮小側に移動し、第３レンズ群Ｇ３と第４レンズ群Ｇ４は拡大側に移動する。
【０１７７】
第１レンズ群Ｇ１は負群で、拡大側に凸面を向けた負メニスカスレンズＬ１１、メニスカスレンズＬ１２で構成されている。
【０１７８】
メニスカスレンズＬ１２は、縮小側に凹でレンズ周辺部分が縮小側に変曲されている偏肉比が小さいメニスカスレンズである。
【０１７９】
第２レンズ群Ｇ２は負群で、両凸レンズＬ２１、両凹レンズＬ２２、両凹レンズＬ２３、両凸レンズＬ２４で構成されている。
【０１８０】
両凸レンズＬ２１と両凹レンズＬ２２は接合されている。
【０１８１】
第３レンズ群Ｇ３は正群で、２枚の正レンズＬ３１とＬ３２で構成されている。  
第４レンズ群Ｇ４は負群で、両凹レンズＬ４１、両凸レンズＬ４２、拡大側に凹の負メニスカスレンズＬ４３、両凸レンズＬ４４で構成されている。
【０１８２】
負メニスカスレンズＬ４１と両凸レンズＬ４２とは接合されている。
【０１８３】
実施例５の、全系の焦点距離：Ｆの範囲、Ｆナンバ、広角端における半画角：ωｗは、以下のとおりである。
【０１８４】
Ｆ＝１１．４〜１７．１ｍｍ、Ｆｎｏ＝２．５６〜３．３４、ωｗ＝４５．７°
実施例のデータを表１７に示す。
【０１８５】
【表１７】
2014219534.tif 000019
【０１８６】
「非球面のデータ」
非球面のデータを表１８に示す。
【０１８７】
【表１８】
2014219534.tif 000020
【０１８８】
投射距離を１４００ｍｍとしたときの、上記レンズ群間隔を、広角端・中間・望遠端について、表１９に示す。
【０１８９】
【表１９】
2014219534.tif 000021
【０１９０】
「各条件のパラメータの値」
条件（１）〜（４）のパラメータの値を、表２０に示す。
【０１９１】
【表２０】
2014219534.tif 000022
【０１９２】
図１０に、実施例５の収差図を図２に倣って示す。
【０１９３】
「実施例６」
実施例６の投射用ズームレンズは、図１１に示したものである。
【０１９４】
図１１に示すように、第１レンズ群Ｇ１はレンズＬ１１ないしＬ１３で構成され、第２レンズ群Ｇ２はレンズＬ２１ないしＬ２４で構成されている。
【０１９５】
第３レンズ群Ｇ３は２枚のレンズＬ３１ないしＬ３２で構成されている。
【０１９６】
第４レンズ群Ｇ４は４枚のレンズＬ４１ないしＬ４４で構成されている。
【０１９７】
ライトバルブとしてはＤＭＤが想定され、ＤＭＤはカバーガラスＣＧを有する。
【０１９８】
広角端から望遠端に変倍する際、第２レンズ群Ｇ２は縮小側に移動し、第３レンズ群Ｇ３と第４レンズ群Ｇ４は拡大側に移動する。
【０１９９】
第１レンズ群Ｇ１は負群で、拡大側に凸面を向けた負メニスカスレンズＬ１１、拡大側に凸面を向けた負メニスカスレンズＬ１２、メニスカスレンズＬ１３で構成されている。
【０２００】
メニスカスレンズＬ１３は、縮小側に凹でレンズ周辺部分が縮小側に変曲されている。
【０２０１】
第２レンズ群Ｇ２は負群で、両凸レンズＬ２１、両凹レンズＬ２２、両凹レンズＬ２３、両凸レンズＬ２４で構成されている。
【０２０２】
両凸レンズＬ２１と両凹レンズＬ２２は接合されている。
【０２０３】
第３レンズ群Ｇ３は正群で、２枚の正レンズＬ３１とＬ３２で構成されている。  
第４レンズ群Ｇ４は正群で、両凹レンズＬ４１、両凸レンズＬ４２、拡大側に凹の負メニスカスレンズＬ４３、両凸レンズＬ４４で構成されている。
【０２０４】
負メニスカスレンズＬ４１と両凸レンズＬ４２とは接合されている。
【０２０５】
実施例６の、全系の焦点距離：Ｆの範囲、Ｆナンバ、広角端における半画角：ωｗは、以下のとおりである。
【０２０６】
Ｆ＝１４．７〜２２．１ｍｍ、Ｆｎｏ＝２．５５〜３．３４、ωｗ＝３８．５°
実施例のデータを表２１に示す。
【０２０７】
【表２１】
2014219534.tif 000023
【０２０８】
「非球面のデータ」
非球面のデータを表２２に示す。
【０２０９】
【表２２】
2014219534.tif 000024
【０２１０】
投射距離を１８００ｍｍとしたときの、上記レンズ群間隔を、広角端・中間・望遠端について、表２３に示す。
【０２１１】
【表２３】
2014219534.tif 000025
【０２１２】
「各条件のパラメータの値」
条件（１）〜（４）のパラメータの値を、表２４に示す。
【０２１３】
【表２４】
2014219534.tif 000026
【０２１４】
図１２に、実施例６の収差図を図２に倣って示す。
【０２１５】
「実施例７」
実施例７の投射用ズームレンズは、図１３に示したものである。
【０２１６】
図１３に示すように、第１レンズ群Ｇ１はレンズＬ１１ないしＬ１３で構成され、第２レンズ群Ｇ２はレンズＬ２１ないしＬ２４で構成されている。
【０２１７】
第３レンズ群Ｇ３は２枚のレンズＬ３１ないしＬ３２で構成されている。
【０２１８】
第４レンズ群Ｇ４は４枚のレンズＬ４１ないしＬ４４で構成されている。
【０２１９】
ライトバルブとしてはＤＭＤが想定され、ＤＭＤはカバーガラスＣＧを有する。
【０２２０】
広角端から望遠端に変倍する際、第２レンズ群Ｇ２は縮小側に移動し、第３レンズ群Ｇ３と第４レンズ群Ｇ４は拡大側に移動する。
【０２２１】
第１レンズ群Ｇ１は負群で、拡大側に凸面を向けた負メニスカスレンズＬ１１、拡大側に凸面を向けた負メニスカスレンズＬ１２、メニスカスレンズＬ１３で構成されている。
【０２２２】
メニスカスレンズＬ１３は、縮小側に凹でレンズ周辺部分が縮小側に変曲されている。
【０２２３】
第２レンズ群Ｇ２は負群で、拡大側に凸の正レンズＬ２１、拡大側に凸の負メニスカスレンズＬ２２、両凹レンズＬ２３、両凸レンズＬ２４で構成されている。
【０２２４】
拡大側に凸の正レンズＬ２１と拡大側に凸の負メニスカスレンズＬ２２は接合されている。
【０２２５】
第３レンズ群Ｇ３は正群で、２枚の正レンズＬ３１とＬ３２で構成されている。  
第４レンズ群Ｇ４は正群で、両凹レンズＬ４１、両凸レンズＬ４２、拡大側に凹の負メニスカスレンズＬ４３、両凸レンズＬ４４で構成されている。
【０２２６】
負メニスカスレンズＬ４１と両凸レンズＬ４２とは接合されている。
【０２２７】
実施例７の、全系の焦点距離：Ｆの範囲、Ｆナンバ、広角端における半画角：ωｗは、以下のとおりである。
【０２２８】
Ｆ＝１３．１〜１９．６ｍｍ、Ｆｎｏ＝２．５５〜３．３４、ωｗ＝４１．８°
実施例のデータを表２５に示す。
【０２２９】
【表２５】
2014219534.tif 000027
【０２３０】
「非球面のデータ」
非球面のデータを表２６に示す。
【０２３１】
【表２６】
2014219534.tif 000028
【０２３２】
投射距離を１６００ｍｍとしたときの、上記レンズ群間隔を、広角端・中間・望遠端について、表２７に示す。
【０２３３】
【表２７】
2014219534.tif 000029
【０２３４】
「各条件のパラメータの値」
条件（１）〜（４）のパラメータの値を、表２８に示す。
【０２３５】
【表２８】
2014219534.tif 000030
【０２３６】
図１４に、実施例７の収差図を図２に倣って示す。
【０２３７】
「実施例８」
実施例８の投射用ズームレンズは、図１５に示したものである。
【０２３８】
図１５に示すように、第１レンズ群Ｇ１はレンズＬ１１ないしＬ１３で構成され、第２レンズ群Ｇ２はレンズＬ２１ないしＬ２４で構成されている。
【０２３９】
第３レンズ群Ｇ３は２枚のレンズＬ３１ないしＬ３２で構成されている。
【０２４０】
第４レンズ群Ｇ４は４枚のレンズＬ４１ないしＬ４４で構成されている。
【０２４１】
ライトバルブとしてはＤＭＤが想定され、ＤＭＤはカバーガラスＣＧを有する。
【０２４２】
広角端から望遠端に変倍する際、第２レンズ群Ｇ２は縮小側に移動し、第３レンズ群Ｇ３と第４レンズ群Ｇ４は拡大側に移動する。
【０２４３】
第１レンズ群Ｇ１は負群で、拡大側に凸面を向けた負メニスカスレンズＬ１１、拡大側に凸面を向けた負メニスカスレンズＬ１２、メニスカスレンズＬ１３で構成されている。
【０２４４】
メニスカスレンズＬ１３は、縮小側に凹でレンズ周辺部分が縮小側に変曲されている。
【０２４５】
第２レンズ群Ｇ２は負群で、拡大側に凸の正レンズＬ２１、縮小側に凹の負メニスカスレンズＬ２２、両凹レンズＬ２３、両凸レンズＬ２４で構成されている。
【０２４６】
拡大側に凸の正レンズＬ２１と拡大側に凸の負メニスカスレンズＬ２２は接合されている。
【０２４７】
第３レンズ群Ｇ３は正群で、２枚の正レンズＬ３１とＬ３２で構成されている。  
第４レンズ群Ｇ４は正群で、両凹レンズＬ４１、両凸レンズＬ４２、拡大側に凹の負メニスカスレンズＬ４３、両凸レンズＬ４４で構成されている。
【０２４８】
負メニスカスレンズＬ４１と両凸レンズＬ４２とは接合されている。
【０２４９】
実施例８の、全系の焦点距離：Ｆの範囲、Ｆナンバ、広角端における半画角：ωｗは、以下のとおりである。
【０２５０】
Ｆ＝１１．５〜１７．２ｍｍ、Ｆｎｏ＝２．５５〜３．３４、ωｗ＝４５．５°
実施例のデータを表２９に示す。
【０２５１】
【表２９】
2014219534.tif 000031
【０２５２】
「非球面のデータ」
非球面のデータを表３０に示す。
【０２５３】
【表３０】
2014219534.tif 000032
【０２５４】
投射距離を１４００ｍｍとしたときの、上記レンズ群間隔を、広角端・中間・望遠端について、表３１に示す。
【０２５５】
【表３１】
2014219534.tif 000033
【０２５６】
「各条件のパラメータの値」
条件（１）〜（４）のパラメータの値を、表３２に示す。
【０２５７】
【表３２】
2014219534.tif 000034
【０２５８】
図１６に、実施例８の収差図を図２に倣って示す。
【０２５９】
「実施例９」
実施例９の投射用ズームレンズは、図１７に示したものである。
【０２６０】
図１７に示すように、第１レンズ群Ｇ１はレンズＬ１１ないしＬ１３で構成され、第２レンズ群Ｇ２はレンズＬ２１ないしＬ２４で構成されている。
【０２６１】
第３レンズ群Ｇ３は２枚のレンズＬ３１ないしＬ３２で構成されている。
【０２６２】
第４レンズ群Ｇ４は４枚のレンズＬ４１ないしＬ４４で構成されている。
【０２６３】
ライトバルブとしてはＤＭＤが想定され、ＤＭＤはカバーガラスＣＧを有する。
【０２６４】
広角端から望遠端に変倍する際、第２レンズ群Ｇ２は縮小側に移動し、第３レンズ群Ｇ３と第４レンズ群Ｇ４は拡大側に移動する。
【０２６５】
第１レンズ群Ｇ１は負群で、拡大側に凸面を向けた負メニスカスレンズＬ１１、拡大側に凸面を向けた負メニスカスレンズＬ１２、メニスカスレンズＬ１３で構成されている。
【０２６６】
メニスカスレンズＬ１３は、縮小側に凹でレンズ周辺部分が縮小側に変曲されている。
【０２６７】
第２レンズ群Ｇ２は負群で、拡大側に凸の正レンズＬ２１、縮小側に凹の負メニスカスレンズＬ２２、両凹レンズＬ２３、両凸レンズＬ２４で構成されている。
【０２６８】
拡大側に凸の正レンズＬ２１と拡大側に凸の負メニスカスレンズＬ２２は接合されている。
【０２６９】
第３レンズ群Ｇ３は正群で、２枚の正レンズＬ３１とＬ３２で構成されている。  
第４レンズ群Ｇ４は正群で、両凹レンズＬ４１、両凸レンズＬ４２、拡大側に凹の負メニスカスレンズＬ４３、両凸レンズＬ４４で構成されている。
【０２７０】
負メニスカスレンズＬ４１と両凸レンズＬ４２とは接合されている。
【０２７１】
実施例９の、全系の焦点距離：Ｆの範囲、Ｆナンバ、広角端における半画角：ωｗは、以下のとおりである。
【０２７２】
Ｆ＝１０．７〜１６．０ｍｍ、Ｆｎｏ＝２．５５〜３．３４、ωｗ＝４７．５°
実施例のデータを表３３に示す。
【０２７３】
【表３３】
2014219534.tif 000035
【０２７４】
「非球面のデータ」
非球面のデータを表３４に示す。
【０２７５】
【表３４】
2014219534.tif 000036
【０２７６】
投射距離を１３００ｍｍとしたときの、上記レンズ群間隔を、広角端・中間・望遠端について、表３５に示す。
【０２７７】
【表３５】
2014219534.tif 000037
【０２７８】
「各条件のパラメータの値」
条件（１）〜（４）のパラメータの値を、表３６に示す。
【０２７９】
【表３６】
2014219534.tif 000038
【０２８０】
図１８に、実施例９の収差図を図２に倣って示す。
【０２８１】
収差図に示すように、各実施例の投射用ズームレンズともに、諸収差は高レベルで補正され、球面収差、非点収差、像面湾曲、倍率色収差、歪曲収差も十分に補正されている。
【０２８２】
実施例１ないし９に示されたように、第１レンズ群Ｇ１は、２または３枚のレンズで構成されている。
【０２８３】
第１レンズ群は、レンズ径の大きいレンズが用いられるが、実施例のように、第１レンズ群の構成を２枚または３枚とすることで、第１レンズ群を軽量化できる。
【０２８４】
この軽量化により「自重によるレンズの偏心」を抑えることができる。  
実施例１ないし９において、第１レンズ群Ｇ１には「非点収差と歪曲収差の補正効果」を持たせている。
【０２８５】
実施例１ないし９においてはまた、第１レンズ群Ｇ１の「最も拡大側の面を、拡大側に凸面形状、最も縮小側の面は凹面形状」としている。
【０２８６】
このようにすることにより、変倍時における「像面湾曲と歪曲収差の変動を低減」させる効果を得ることができている。
【０２８７】
実施例１ないし９の投射用ズームレンズは何れも、広角端から望遠端への変倍の際、第１レンズ群Ｇ１は固定である。
【０２８８】
そして、第２レンズ群Ｇ２は縮小側に移動し、第３レンズ群Ｇ３は拡大側に移動する。
【０２８９】
この発明の投射用ズームレンズは、広角端の半画角が３４度より大きい「広画角」であり、望遠端への変倍の際に、第２レンズ群Ｇ２を縮小側に移動させている。
【０２９０】
このようにすることにより、変倍の際の諸収差の変動を小さくできている。
【符号の説明】
【０２９１】
Ｇ１        第１レンズ群  
Ｇ２        第２レンズ群  
Ｇ３        第３レンズ群  
Ｇ４        第４レンズ群  
【先行技術文献】
【特許文献】
【０２９２】
【特許文献１】特開２０１２−１８９９７１号公報
【図１】
2014219534.tif 000039
【図２】
2014219534.tif 000040
【図３】
2014219534.tif 000041
【図４】
2014219534.tif 000042
【図５】
2014219534.tif 000043
【図６】
2014219534.tif 000044
【図７】
2014219534.tif 000045
【図８】
2014219534.tif 000046
【図９】
2014219534.tif 000047
【図１０】
2014219534.tif 000048
【図１１】
2014219534.tif 000049
【図１２】
2014219534.tif 000050
【図１３】
2014219534.tif 000051
【図１４】
2014219534.tif 000052
【図１５】
2014219534.tif 000053
【図１６】
2014219534.tif 000054
【図１７】
2014219534.tif 000055
【図１８】
2014219534.tif 000056
【図１９】
2014219534.tif 000057